(57)【要約】【課題】封入された物品の種別が識別可能であり、且つ複数の種別の物品に共通して用いることができるパッケージを提供する。【解決手段】パッケージ３は、複数の種別の物品２のうち何れか一つの種別の物品２が封入されるパッケージであって、物品２の種別毎に設けられた複数の種別表示部１１ａ，１１ｂ，１１ｃを有し、封入される物品２の種別に対応する種別表示部にマーカー１２が設けられている。【選択図】図２
2017019515.tif 000002
【特許請求の範囲】
【請求項１】
複数の種別の物品のうち何れか一つの種別の物品が封入されるパッケージであって、
前記物品の種別毎に設けられた複数の種別表示部を有し、
封入される物品の種別に対応する前記種別表示部にマーカーが設けられているパッケージ。
【請求項２】
請求項１記載のパッケージであって、
前記複数の種別表示部は互いに隣設されているパッケージ。
【請求項３】
請求項１又は２記載のパッケージであって、
前記複数の種別表示部には互いに異なる色彩が施されているパッケージ。
【請求項４】
請求項１から３のいずれか一項記載のパッケージであって、
前記複数の種別表示部は前記パッケージの封止縁部に設けられており、
前記マーカーは、貫通孔又は切れ込みであって、前記種別表示部に穿設されているパッケージ。
【請求項５】
請求項４記載のパッケージであって、
前記マーカーは切れ込みであり、前記パッケージの開封部を兼ねるパッケージ。
【請求項６】
請求項１から３のいずれか一項記載のパッケージであって、
前記マーカーは、文字、数字、記号、図形、模様、絵柄の少なくとも何れか一つを含み、前記種別表示部に付設されているパッケージ。
【請求項７】
請求項１から６のいずれか一項記載のパッケージであって、
前記物品の種別は、前記物品に表記される言語による種別、前記物品の形態による種別、前記物品のシリーズによる種別の何れか一つを含むパッケージ。
【請求項８】
請求項１から７のいずれか一項記載のパッケージであって、
前記物品の種別毎に設けられた複数の表記を有するパッケージ。
【請求項９】
請求項１から８のいずれか一項記載のパッケージに、一つ又は同一種別の複数の前記物品が封入されてなるパッケージ品。
【発明の詳細な説明】
【技術分野】
【０００１】
本発明は、物品が封入されるパッケージ、及びパッケージに物品が封入されてなるパッケージ品に関する。
【背景技術】
【０００２】
特許文献１に記載されたパッケージは、シャンプーやリンスなどの流動体が封入されるチューブ状のパッケージである。パッケージの末端の封止端部には貫通孔が形成されており、貫通孔の形状や個数の組み合わせによって内容物の種別が識別可能とされている。
【先行技術文献】
【特許文献】
【０００３】
【特許文献１】特開２００９−１７９３９０号公報
【発明の概要】
【発明が解決しようとする課題】
【０００４】
特許文献１に記載されたパッケージでは、内容物の種別に応じて貫通孔の形状や個数の組み合わせが異なり、即ち種別毎に表示形態が異なり、複数種のパッケージが必要となる。このため、パッケージの製造にコストがかかる。
【０００５】
本発明は、封入された物品の種別が識別可能であり、且つ複数の種別の物品に共通して用いることができるパッケージを提供することを目的とする。
【課題を解決するための手段】
【０００６】
本発明に係るパッケージは、複数の種別の物品のうち何れか一つの種別の物品が封入されるパッケージであって、前記物品の種別毎に設けられた複数の種別表示部を有し、封入される物品の種別に対応する前記種別表示部にマーカーが設けられていることを特徴とする。
【０００７】
また、本発明に係るパッケージにおいては、前記複数の種別表示部は互いに隣設されてもよい。
【０００８】
また、本発明に係るパッケージにおいては、前記複数の種別表示部には互いに異なる配色が施されてもよい。
【０００９】
また、本発明に係るパッケージにおいては、前記複数の種別表示部は前記パッケージの封止縁部に設けられており、前記マーカーは、貫通孔又は切れ込みであって、前記種別表示部に穿設されてもよい。
【００１０】
また、本発明に係るパッケージにおいては、前記マーカーは切れ込みであり、前記パッケージの開封部を兼ねてもよい。
【００１１】
また、本発明に係るパッケージにおいては、前記マーカーは、文字、数字、記号、図形、模様、絵柄の少なくとも何れか一つを含み、前記種別表示部に付設されてもよい。
【００１２】
また、本発明に係るパッケージにおいては、前記物品の種別は、前記物品に表記される言語による種別、前記物品の形態による種別、前記物品のシリーズによる種別の何れか一つを含んでもよい。
【００１３】
また、本発明に係るパッケージにおいては、前記物品の種別毎に設けられた複数の表記を有してもよい。
【００１４】
また、本発明に係るパッケージ品は、上記パッケージに、一つ又は同一種別の複数の前記物品が封入されてなることを特徴とする。
【発明の効果】
【００１５】
本発明によれば、封入された物品の種別が識別可能であり、且つ複数の種別の物品に共通して用いることができるパッケージを提供することができる。
【図面の簡単な説明】
【００１６】
【図１】本発明の実施形態を説明するための、パッケージ及びパッケージ品の一例の表側の斜視図である。
【図２】図１のパッケージの裏側の斜視図である。
【図３】図１のパッケージに封入される物品の一例の斜視図である。
【図４】図１のパッケージの種別表示部の一例の平面図である。
【図５】図１のパッケージの種別表示部の他の例の平面図である。
【図６】図１のパッケージの種別表示部の他の例の平面図である。
【図７】図１のパッケージの変形例の斜視図である。
【発明を実施するための形態】
【００１７】
図１及び図２は、本発明の実施形態を説明するための、パッケージ及びパッケージ品の一例を示し、図３は図１のパッケージに封入される物品の一例を示す。
【００１８】
パッケージ品１は、封入物品としてのカード２と、カード２が封入されるパッケージ３とを備える。
【００１９】
パッケージ３は、図示の例ではフィルムパッケージであって、カード２を収容可能な扁平な袋状に形成されているが、パッケージ３の材質や形状は特に限定されない。
【００２０】
パッケージ３の背貼り部分４や両側の口部分５がヒートシールなどの適宜な手段でシールされ、カード２がパッケージ３に封入される。
【００２１】
カード２は複数の種別に分類されており、これら複数の種別のうち何れか一つの種別が選択され、一枚又は同一種別の複数枚のカード２がパッケージ３に封入される。
【００２２】
図３に示すように、カード２には、パッケージ品１の販売国に対応した言語で商品名称６が表記されている。また、カード２がシリーズ化されており、カード２が属するシリーズ名称７もまたパッケージ品１の販売国に対応した言語で併記されている。本例では、言語表記によってカード２が三種に分類されるものとする。
【００２３】
パッケージ３は、カード２の種別毎に設けられた表記１０ａ，１０ｂ，１０ｃを有する。これらの表記１０ａ，１０ｂ，１０ｃとしては、カード２の使用に関する注意事項を例示することができ、表記言語によってカード２が複数の種別に分類される本例において、表記１０ａ，１０ｂ，１０ｃは、カード２の種別に対応した互いに異なる言語によってそれぞれ表記されている。
【００２４】
そして、パッケージ３は、カード２の種別毎に設けられた種別表示部１１ａ，１１ｂ，１１ｃを有する。これらの種別表示部１１ａ，１１ｂ，１１ｃは、図示の例では、パッケージ３の裏面側で、シールされた一方の口部分（封止縁部）５に設けられており、縁に沿って互いに隣設されている。
【００２５】
図４は、種別表示部１１ａ，１１ｂ，１１ｃの一例を示す。
【００２６】
パッケージ品１の販売国に対応した言語によってカード２が複数の種別に分類される本例において、種別表示部１１ａ，１１ｂ，１１ｃには、カード２の種別に対応した互いに異なる販売国の国コードがそれぞれ表記されている。
【００２７】
さらに、種別表示部１１ａ，１１ｂ，１１ｃには互いに異なる色彩が施されており、隣設された種別表示部１１ａ，１１ｂ，１１ｃの個々の識別性が高められている。
【００２８】
そして、種別表示部１１ａ，１１ｂ，１１ｃのうちの、パッケージ３に封入されたカード２の種別に対応する何れか一つの種別表示部、即ち封入されたカード２の表記言語に対応する国の国コードが表記されている種別表示部に、マーカー１２が設けられている。
【００２９】
図示の例では、パッケージ３に封入されたカード２の表記言語が日本語であって、国コード「ＪＰ」が表記された種別表示部１１ａに、記号によって構成されるマーカー１２が設けられている。
【００３０】
なお、マーカー（標識）１２は、文字、数字、記号、図形、模様、若しくは絵柄、又はこれらの結合によって適宜構成でき、パッケージ３を構成するフィルムに刻印や印刷や貼付などの適宜な手段で付設される。
【００３１】
このように、カード２の種別毎に設けられた種別表示部１１ａ，１１ｂ，１１ｃのうち、パッケージ３に封入されたカード２の種別に対応する何れか一つの種別表示部にマーカー１２が設けられることにより、パッケージ３を開封することなく、パッケージ３に封入されたカード２の種別を識別することが可能となる。
【００３２】
そして、カード２の種別に対応する種別表示部にマーカー１２が設けられるという共通した表示形態によってパッケージ３に封入されたカード２の種別が表示されるので、複数の種別のカード２に対して共通のパッケージ３を用いることができる。
【００３３】
図５は、種別表示部１１ａ，１１ｂ，１１ｃの他の例を示す。
【００３４】
図５に示す例では、パッケージ３のシールされた口部分５に設けられている種別表示部１１ａ，１１ｂ，１１ｃのうち、パッケージ３に封入されたカード２の種別に対応する何れか一つの種別表示部に、マーカーとしての貫通孔１３が穿設されている。
【００３５】
マーカーが貫通孔１３によって構成されることにより、マーカーの視認性が高まり、マーカーによって表示されるパッケージ３に封入されたカード２の種別の識別性を高めることができる。
【００３６】
図６は、種別表示部１１ａ，１１ｂ，１１ｃの他の例を示す。
【００３７】
図６に示す例では、パッケージ３のシールされた口部分５に設けられている種別表示部１１ａ，１１ｂ，１１ｃのうち、パッケージ３に封入されたカード２の種別に対応する何れか一つの種別表示部に、マーカーとしての切れ込み１４が穿設されている。
【００３８】
マーカーが切れ込み１４によって構成されることにより、図５に示した貫通孔１３と同様にマーカーの視認性が高まり、マーカーによって表示されるパッケージ３に封入されたカード２の種別の識別性を高めることができる。さらに、口部分（封止縁部）５の縁から延びる切れ込み１４を開封部として用いることができ、利便性を高めることができる。
【００３９】
図７は、パッケージ３の変形例を示す。
【００４０】
図７に示す例は、パッケージ３の一部に透過部８を設け、パッケージ３に封入されたカード２の一部をパッケージ３の外部から視認可能としたものである。透過部８は、カード２において種別毎に異なる部分に重なる位置に設けられ、図示の例では、種別毎に異なる言語で表記される商品名称６及びシリーズ名称７の表記部分に重なる位置に設けられている。
【００４１】
透過部８を通して視認されるカード２の商品名称６及びシリーズ名称７の表記言語によってカード２の種別を識別することが可能であり、上述したマーカーによる表示と併せて、カード２の種別の識別性をさらに高めることができる。
【００４２】
以上、表記言語によってカード２が複数の種別に分類されるものとして説明したが、カード２の種別の分類基準は表記言語に限られるものではない。カード２がシリーズ化されている場合にシリーズによって分類されてもよい。また、例えばカードとメダルのように、パッケージ３に封入される物品の形態によって分類されてもよい。
【符号の説明】
【００４３】
１     パッケージ品
２     カード（物品）
３     パッケージ
５     口部分（封止縁部）
１０ａ，１０ｂ，１０ｃ 表記
１１ａ，１１ｂ，１１ｃ 種別表示部
１２   マーカー
１３   貫通孔（マーカー）
１４   切れ込み（マーカー）
【図１】
2017019515.tif 000003
【図２】
2017019515.tif 000004
【図３】
2017019515.tif 000005
【図４】
2017019515.tif 000006
【図５】
2017019515.tif 000007
【図６】
2017019515.tif 000008
【図７】
2017019515.tif 000009